(57)【要約】【課題】平面的なサイズの拡大を極力抑えつつ薄型化を達成することができるテレビジョン受信機等を提供することにある。【解決手段】本発明に係る表示装置は、映像を表示する表示部１と、電気部品が配置された電気回路基板とを備える表示装置において、前記電気回路基板は、前記表示部１に一部を重ねて配置されており、前記表示部１と重ならない位置に少なくとも１つの前記電気部品が配置され、前記電気回路基板には、電源回路が形成されており、前記電気回路基板は、前記電源回路に含まれる背高な電気部品が前記表示部と重ならない位置に配置されていることを特徴とする。【選択図】図１
2016195352.tif 000002
【特許請求の範囲】
【請求項１】
映像を表示する表示部と、電気部品が配置された電気回路基板とを備える表示装置において、
前記電気回路基板は、前記表示部に一部を重ねて配置されており、
前記表示部と重ならない位置に前記電気部品の内の少なくとも１つが配置されていることを特徴とする表示装置。
【請求項２】
前記電気回路基板には、電源回路が形成されており、
前記電気回路基板は、前記電源回路に含まれる背高な電気部品が前記表示部と重ならない位置に配置されていることを特徴とする請求項１に記載の表示装置。
【請求項３】
前記電気回路基板には、前記表示部を制御するための制御部が配置されており、
該制御部は、前記電気回路基板における前記表示部と重ならない位置に配置されていることを特徴とする請求項１又は請求項２に記載の表示装置。
【請求項４】
請求項１に記載の表示装置と、
テレビジョン放送を受信するチューナとを備え、
前記チューナは、前記電気回路基板における前記表示部と重ならない位置に配置されていることを特徴とするテレビジョン受信機。
【請求項５】
前記チューナの実装位置を囲う電磁シールドと前記表示部の固定部材との対向部に介装され、夫々に弾接する導電体を備えることを特徴とする請求項４に記載のテレビジョン受信機。
【請求項６】
前記対向部に介装され、夫々に弾接する熱伝導体を更に備えることを特徴とする請求項５に記載のテレビジョン受信機。
【発明の詳細な説明】
【技術分野】
【０００１】
本発明は、チューナを搭載した表示装置等に関する。
【背景技術】
【０００２】
テレビジョン受信機は、映像を表示する表示部とテレビジョン放送を受信するチューナとを備えている。チューナは、多くの場合、表示部の駆動回路と共通の基板上に実装されるが、チューナの実装位置は、電磁ノイズの影響を排除するために電磁シールド（金属製の箱体）で囲う必要があり、電磁シールドを含めたチューナ等の電気部品の存在が、前記表示部及び基板を筐体内に収容して構成される表示装置の薄形化を阻害する一因となっている。
【０００３】
特許文献１に記載の表示装置においては、チューナ等の電気部品が実装された基板と表示部とを横並びに配置することで薄形化を可能としている。
【先行技術文献】
【特許文献】
【０００４】
【特許文献１】特開２００４−３３４２２４号公報
【発明の概要】
【発明が解決しようとする課題】
【０００５】
しかし、特許文献１に記載の表示装置は、基板に電気部品を配設する配設空間を表示部の横に配置する必要があることで平面的なサイズが大きくなるという問題があった。
【０００６】
本発明は斯かる事情に鑑みてなされたものであり、その目的とするところは、平面的なサイズの拡大を極力抑えつつ薄型化を達成することができる表示装置等を提供することにある。
【課題を解決するための手段】
【０００７】
本発明に係る表示装置は、映像を表示する表示部と、電気部品が配置された電気回路基板とを備える表示装置において、前記電気回路基板は、前記表示部に一部を重ねて配置されており、前記表示部と重ならない位置に前記電気部品の内の少なくとも１つが配置されていることを特徴とする。
【０００８】
本発明に係る表示装置は、前記電気回路基板には、電源回路が形成されており、前記電気回路基板は、前記電源回路に含まれる背高な電気部品が前記表示部と重ならない位置に配置されていることを特徴とする。
【０００９】
本発明に係る表示装置は、前記電気回路基板には、前記表示部を制御するための制御部が配置されており、該制御部は、前記電気回路基板における前記表示部と重ならない位置に配置されていることを特徴とする。
【００１０】
本発明に係るテレビジョン受信機は、表示装置と、テレビジョン放送を受信するチューナとを備え、前記チューナは、前記電気回路基板における前記表示部と重ならない位置に配置されていることを特徴とする。
【００１１】
本発明に係るテレビジョン受信機は、前記チューナの実装位置を囲う電磁シールドと前記表示部の固定部材との対向部に介装され、夫々に弾接する導電体を備えることを特徴とする。
【００１２】
本発明に係るテレビジョン受信機は、前記対向部に介装され、夫々に弾接する熱伝導体を更に備えることを特徴とする。
【発明の効果】
【００１３】
本発明によれば、平面的なサイズの拡大を極力抑えつつ薄型化を達成することができる。
【図面の簡単な説明】
【００１４】
【図１】実施の形態１のテレビジョン受信機の外観斜視図である。
【図２】チューナが設けてある部分におけるテレビジョン受信機の横断面図である。
【図３】電源回路が設けてある部分におけるテレビジョン受信機の横断面図である。
【図４】制御部が設けてある部分におけるテレビジョン受信機の横断面図である。
【図５】チューナが設けてある部分におけるテレビジョン受信機の横断面図である。
【図６】チューナが設けてある部分におけるテレビジョン受信機の横断面図である。
【図７】チューナの一部を示す拡大斜視図である。
【発明を実施するための形態】
【００１５】
実施の形態１
以下、本発明をその実施の形態を示す図面に基づいて詳述する。以下の説明では各図中の上下、左右を使用する。
【００１６】
図１は実施の形態１のテレビジョン受信機の外観斜視図である。図１に示すように、テレビジョン受信機は、画像表示面に映像を表示する液晶パネル及び液晶パネルに光を照射するバックライト等で構成される表示部１と、表示部１を収容する箱型のキャビネット２とを備える。以下の説明においては、表示部１の画像表示面の側を正面側、他側を背面側とする。
【００１７】
キャビネット２は表示部１の周縁部の正面を取り囲むフロントキャビネット２１と、フロントキャビネット２１の背面を覆うリアキャビネット２２とを備える。
【００１８】
図１に示すテレビジョン受信機は、キャビネット２の内部には左下に設けられた駆動基板（電気回路基板）３と、左上に設けられた電源基板（電気回路基板）４とを備える。駆動基板３は電源基板４から離隔した位置に配置されている。駆動基板３にはチューナ（電気部品）３１及び制御部（電気部品）３２が実装（配置）されている。電源基板４には電源回路（電気部品）４１が実装（配置）されている。チューナ３１は駆動基板３上に設けられ、図示しないアンテナに接続され、該アンテナを介してテレビジョン放送を受信する。チューナ３１は受信したテレビジョン放送に係るデータを復調し、復調したデータから画像データ及び音声を分離して出力する。表示部１は、チューナ３１が出力した画像データに基づく画像を画像表示面に表示する。制御部３２はテレビジョン受信機の各部に制御命令を出力している。制御部３２は例えば表示部１を制御する。電源回路４１は外部から供給された電気の電圧の変換等を行っている。
【００１９】
図２はチューナ３１が設けてある部分におけるテレビジョン受信機の横断面図である。テレビジョン受信機は、開口部に表示部１を設け、表示部１を固定するブラケット（固定部材）５を備える。駆動基板３は表示部１に重ねて表示部１とフロントキャビネット２１の側板との間に架け渡されて夫々に固定されている。駆動基板３の広面の一部には表示部１が重ねられており、駆動基板３の表示部１と重ならない位置にチューナ３１が重ねられている。チューナ３１は箱型の金属製の電磁シールド３１１で覆われている。ブラケット５は導電製の素材で構成される。ブラケット５における表示部１の一側端面に対向する一面５１は駆動基板３の正面側にネジ８１により固定され、ブラケット５における表示部１の背面に対向する他面５２は表示部１の一側端面をネジ８２により固定されている。
【００２０】
駆動基板３の広面の一部には表示部１が重ねられており、駆動基板３の表示部１と重ならない位置にチューナ３１が重ねられているため、平面的なサイズの拡大を極力抑えつつ薄型化を達成することができる。
【００２１】
図３は、電源回路４１が設けてある部分におけるテレビジョン受信機の横断面図である。電源基板４は表示部１に重ねて表示部１とフロントキャビネット２１の側板との間に架け渡されて夫々に固定されている。電源回路４１は、トランス、電界コンデンサ、スイッチングトランジスタ、ダイオードブリッジ又はラインフィルタ等の背高な電子部品で構成されている。このため、電子部品は正背面方向の厚さが薄いことでテレビジョン受信機を薄型にすることができる。また、電源回路４１を表示部１と重ならない位置に配置されていることで電源回路４１の発熱が駆動基板３に伝わることを防止できる。また、電源回路４１は背高な部品が多いことから上下方向に長い隙間ができるため、周縁の空気が対流することで効率的に冷却することができる。
【００２２】
図４は、制御部３２が設けてある部分におけるテレビジョン受信機の横断面図である。図４Ａに示すように、テレビジョン受信機は、駆動基板３の正面側に重なる制御部３２と、制御部３２の正面に重なる放熱シート３３と、放熱シート３３の正面に重なる放熱板３４と、放熱板３４を支持し、駆動基板３に固定された支持部３５とを備える。制御部３２は駆動基板３の表示部１及びチューナ３１と重ならない位置に実装されている。制御部３２は例えば一又は複数のＣＰＵ(Central Processing Unit)又はマルチコアＣＰＵ等である。制御部３２、放熱シート３３及び放熱板３４は板状である。支持部３５はＬ字状をなし、放熱板３４の両端部を支持する。このことにより制御部３２はテレビジョン受信機の薄型化に寄与することができる。また制御部３２は表示部１と重ならない位置に実装されているため、制御部３２から発生する熱が表示部１に伝達されることを防止することができる。また、制御部３２は左右に隙間ができるため、周縁の空気が対流することで効率的に冷却することができる。
【００２３】
図４Ｂに示すように、ブラケット５はフロントキャビネット２１の背面側に左右方向へ延出する延出部５３と、放熱シート３３の正面側から支持する支持部５４と、延出部５３の一端部から支持部５４の表示部１側の端部に向けて延出され、延出部５３と支持部５４とを接続する接続部５５とを備える。このことにより制御部３２は制御部３２から発生する熱を放熱シート３３を介してブラケット５に伝達することで効率的に冷却することができる。
【００２４】
実施の形態２
図５は、チューナ３１が設けてある部分におけるテレビジョン受信機の横断面図である。図５Ａに示すように、テレビジョン受信機はネジ８２によりブラケット５の他面５２に固定された板ばね（導電体）６１を備える。板ばね６１は弾性を有する板であり、導電製の素材で構成されている。板ばね６１はチューナ３１と表示部１のブラケット５との対向部に介装され、夫々に弾接されている。またブラケット５は図示しない部分で接地されている。このことによりチューナ３１は板ばね６１を介してブラケット５に電気的に接続されるため、チューナ３１のグランドを強化することができる。
【００２５】
図５Ｂに示すように、テレビジョン受信機はブラケット５の他面５２とチューナ３１の一側端面との間に挟持された導電体６２を備える。導電体６２は例えば、導電ガスケットである。導電体６２は導電性の素材で構成されている。このことによりチューナ３１は導電体６２を介してブラケット５に電気的に接続されるため、さらにチューナ３１のグランドを強化することができる。
【００２６】
実施の形態３
図６は、チューナ３１が設けてある部分におけるテレビジョン受信機の横断面図である。図６に示すように、ブラケット５は一端部からフロントキャビネット２１の背面側に左右方向へチューナ３１の正面側付近まで延出する延出部５３を備える。テレビジョン受信機はチューナ３１と延出部５３との対向部に介装され、夫々に弾接する熱伝導体７１を備える。このことによりチューナ３１はチューナ３１から発生する熱を熱伝導体７１を介してブラケット５に伝達することで効率的に冷却することができる。なお、熱伝導体７１は導電性を素材で構成されてもよく、その場合チューナ３１は熱伝導体７１を介してブラケット５に電気的に接続されるため、さらにチューナ３１のグランドを強化することができる。
【００２７】
実施の形態４
図７は、チューナ３１の一部を示す拡大斜視図である。図７Ａは従来の駆動基板３の一部を示す拡大斜視図である。図７Ｂは本実施形態における駆動基板３の一部を示す拡大斜視図である。図７Ａに示すように駆動基板３はチューナ３１付近の角部にコネクタ３１５を備える。コネクタ３１５には地上デジタル放送用接栓３１３及び衛星放送用接栓３１４が設けられている。地上デジタル放送用接栓３１３は地上波デジタル放送に用いられるコネクタである。衛星放送用接栓３１４は衛星放送に用いられるコネクタである。従来の駆動基板３はコネクタの地上デジタル放送用接栓３１３側の周縁部に所定の第１文字を記載し、コネクタの衛星放送用接栓３１４側の周縁部に所定の第２文字を記載する。所定の第１文字とは地上デジタル放送用接栓３１３を識別するための文字であり、例えばＴＥＲである。所定の第２文字とは衛星放送用接栓３１４であり、例えばＳＡＴである。
【００２８】
図７Ｂに示すように本実施形態における駆動基板３は、コネクタ３１５が設けられた面とは反対の面における地上デジタル放送用接栓３１３の一端部側に所定の第１文字を記載し、衛星放送用接栓３１４の一端部側に所定の第２文字を記載する。
【００２９】
本実施形態によれば、従来と違い駆動基板３はコネクタ３１５が設けられた面とは反対の面に所定の第１及び第２文字を記載するため、駆動基板３に設置する部品を増やすことができる。また、地上デジタル放送用接栓３１３及び衛星放送用接栓３１４の近傍に所定の第１及び第２文字を記載できるため、地上デジタル放送用接栓３１３及び衛星放送用接栓３１４の識別が容易になる。
【００３０】
本発明に係る表示装置は、映像を表示する表示部１と、電気部品が配置された電気回路基板とを備える表示装置において、前記電気回路基板は、前記表示部１に一部を重ねて配置されており、前記表示部１と重ならない位置に前記電気部品の内の少なくとも１つが配置されていることを特徴とする。
【００３１】
電気回路基板の広面の一部には表示部１が重ねられており、電気回路基板の表示部１と重ならない位置に電気部品が重ねられているため、平面的なサイズの拡大を極力抑えつつ薄型化を達成することができる。
【００３２】
本発明に係る表示装置は、前記電気回路基板４には、電源回路４１が形成されており、前記電気回路基板４は、前記電源回路４１に含まれる背高な電気部品が前記表示部１と重ならない位置に配置されていることを特徴とする。
【００３３】
このため、電子部品は正背面方向の厚さが薄いことでテレビジョン受信機を薄型にすることができる。
【００３４】
本発明に係る表示装置は、前記電気回路基板には、前記表示部１を制御するための制御部３２が配置されており、該制御部３２は、前記電気回路基板における前記表示部１と重ならない位置に配置されていることを特徴とする。
【００３５】
このことにより制御部３２は表示部１と重ならない位置に実装されているため、制御部３２から発生する熱が表示部１に伝達されることを防止することができる。
【００３６】
本発明に係るテレビジョン受信機は、表示装置と、テレビジョン放送を受信するチューナ３１とを備え、前記チューナ３１は、前記電気回路基板における前記表示部１と重ならない位置に配置されていることを特徴とする。
【００３７】
駆動基板３の広面の一部には表示部１が重ねられており、駆動基板３の表示部１と重ならない位置にチューナ３１が重ねられているため、平面的なサイズの拡大を極力抑えつつ薄型化を達成することができる。
【００３８】
本発明に係るテレビジョン受信機は、前記チューナ３１の実装位置を囲う電磁シールド３１１と前記表示部１の固定部材５との対向部に介装され、夫々に弾接する導電体６１、６２を備えることを特徴とする。
【００３９】
このことによりチューナ３１は導電体６１、６２を介してブラケット５に電気的に接続されるため、さらにチューナ３１のグランドを強化することができる。
【００４０】
本発明に係るテレビジョン受信機は、前記対向部に介装され、夫々に弾接する熱伝導体７１を更に備えることを特徴とする。
【００４１】
このことによりチューナ３１はチューナ３１から発生する熱を熱伝導体７１を介してブラケット５に伝達することで効率的に冷却することができる。
【００４２】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００４３】
１  表示部
３  駆動基板（電気回路基板）
３１  チューナ（電気部品）
３２  制御部（電気部品）
４  電源基板（電気回路基板）
４１  電源回路（電気部品）
５  ブラケット（固定部材）
６１  板ばね（導電体）
６２  導電体
７１  熱伝導体
【図１】
2016195352.tif 000003
【図２】
2016195352.tif 000004
【図３】
2016195352.tif 000005
【図４】
2016195352.tif 000006
【図５】
2016195352.tif 000007
【図６】
2016195352.tif 000008
【図７】
2016195352.tif 000009